(57)【要約】      （修正有）【課題】天然芝を効果的に固定でき、芝生全体の底部の堅牢性を向上させる人工芝生を提供する。【解決手段】土壌基層と、土壌基層の上方に敷き詰められ、経糸６と緯糸５で織り成される格子状の下地層と、格子状の下地層に織り込まれる人工芝糸とを含む人工芝と天然芝を組み合わせた人工芝生であって、緯糸５はＳ字状のように配列され、経糸６は緯糸のＳ字状の円弧内に上下に往復して８の字状のような固定用結びを形成し、人工芝糸３は、８の字状の結びの内部を通り抜け、経糸６によって引き締められることによって経糸６と緯糸５の間に固定される。格子状の下地層に天然芝の植栽用土壌層が敷き詰められ、天然芝の植栽用土壌層の高さは、人工芝糸３の高さより低く、天然芝の植栽用土壌層内に天然芝が植え付けられ、天然芝の根部は、格子状の下地層に絡まれる。【選択図】図２
0003221275.tif 000002
【実用新案登録請求の範囲】
【請求項１】
土壌基層と、土壌基層の上方に敷き詰められ、経糸と緯糸で織り成される格子状の下地層と、格子状の下地層に織り込まれる人工芝糸とを含む人工芝生において、前記緯糸はＳ字状のように配列され、前記経糸は前記緯糸のＳ字状の円弧内を上下に往復して８の字状のような固定用結びを形成し、前記人工芝糸は、前記８の字状の結びの内部を通り抜け、前記経糸によって引き締められることによって前記経糸と前記緯糸の間に固定されることを特徴とする人工芝と天然芝を組み合わせた人工芝生。
【請求項２】
前記格子状の下地層に天然芝の植栽用土壌層が敷き詰められ、前記天然芝の植栽用土壌層の高さは、前記人工芝糸の高さより低く、前記天然芝の植栽用土壌層内に天然芝が植え付けられ、前記天然芝の根部は、前記格子状の下地層に絡まれることを特徴とする請求項１に記載の人工芝と天然芝を組み合わせた人工芝生。
【請求項３】
前記天然芝の植栽用土壌層の高さは、人工芝糸の高さの３０〜８０％であることを特徴とする請求項２に記載の人工芝と天然芝を組み合わせた人工芝生。
【請求項４】
格子状の下地層における格子の形状は、田の字状、菱形、三角形、円形から選ばれる１種又は複数種であることを特徴とする請求項１、請求項２又は請求項３に記載の人工芝と天然芝を組み合わせた人工芝生。
【考案の詳細な説明】
【技術分野】
【０００１】
本考案は、人工芝生の分野に関し、より詳しくは、人工芝と天然芝を組み合わせた人工芝生に関する。
【背景技術】
【０００２】
人工芝生は、環境に優しく、耐久性に優れ、管理が容易で、迅速に排水でき、水の消費が少ないなどの利点から、競技場、レジャー施設、装飾などの分野で幅広く利用されている。一方、従来の人工芝生は、スチレンブタジエンラテックス又はＰＵ系接着剤で基布上の芝糸を下地層に固定しているため、芝生の透水性が理想的ではなく、排水穴を設けた場合でも、雨水が大量に溜まると直ちに排出できない。また、スチレンブタジエンラテックス又はＰＵ系接着剤は可塑化による再利用が不可能なため、従来の人工芝生は、所定の耐用年数を満了した後でも回収して再利用することができず、資源浪費の問題は避けられない。現在、サッカーやゴルフ等の競技場の一部では、天然芝を敷設する場合がある。天然芝生を管理するには、水資源の消費や、農薬と肥料による汚染、土壌の硬化といった問題や、雑草・ゴミ取り、草刈りなどの作業が避けられないため、管理費用が嵩むだけでなく、環境汚染も起きている。
【０００３】
出願人が従来技術について調査したところ、天然芝及び人工芝のそれぞれの利点を生かした、人工芝と天然芝を組み合わせた人工芝生が存在していることが分かった。
例えば、特許文献１は、「人工芝と天然芝を組み合わせた人工芝生及びその製造方法」を開示している。当該人工芝と天然芝を組み合わせた人工芝生は、原土層と、原土層の上方に配置される改良層とを含み、改良層に種を播種し天然芝を植え付け、植栽機を用いて天然芝の間に人工芝を植え付け、そして最下部の土層を締め固めることにより原土層を形成する。次に、７０％の砂、２０％の泥炭、１０％の多孔質セラミックボールからなる基材を原土層に均一に敷き詰めることにより改良層を形成し、さらに、改良層に所定の密度で草の種を播種し、植栽機を用いて人工芝を改良層に植え付ける、又は改良層において、植栽機を用いて人工芝を植え付け、そして草の種を均一に播種するように製造する。当該特許は、植栽機を用いて人工芝を改良層に植え付けているため、人工芝糸の底部は堅牢に固定できない。
【０００４】
特許文献２は、「人工芝生及びその製造プロセス」を開示している。当該人工芝生は、土壌基層と、土壌基層の上方に敷き詰められる経編メッシュと、経編メッシュに織り込まれる繊維草束とを含み、当該経編メッシュは、経糸と緯糸で織り成された格子構造であり、経編メッシュに形成された格子に天然芝が植栽され、天然芝の根部が土壌基層に植え付けられ、経糸及び緯糸はいずれも繊維芝糸をねじって編成された芝糸の束であり、芝糸の束は、中国の麻花という揚げ菓子のような形を有する。繊維草束の根部は、芝糸の束に織り込まれ、繊維草束は、少なくとも２本の繊維芝糸を接続させて形成されるものであり、繊維草束の根部は、Ｇ字状であり、且つ芝糸の束に均一に織り込まれ、繊維草束の茎部は、いずれも芝糸の束の同じ側に配置され、繊維草束の根部は、繊維芝糸同士間の継ぎ目の一方の側から入れられ、継ぎ目の他側から引き出される。当該特許は、経編メッシュの格子に天然芝を挿し込むか又は植え付け、天然芝の根部は経編メッシュの下方に入っているため、経編メッシュと効果的に結合できず、堅牢性も劣っている。また、経編メッシュの格子に天然芝を挿し込む、又は植え付ける必要があるため、製造工程が複雑になる。さらに、経編メッシュの織成構造が複雑であるため、人工芝糸を固定するのは困難であった。
【先行技術文献】
【特許文献】
【０００５】
【特許文献１】中国特許第１０５９９３２７５号明細書（中国特許出願第２０１６１０４９８７６３．２号明細書）
【特許文献２】中国特許第１０４２６４５６５号明細書（中国特許出願第２０１４１０５６４５０７．Ｘ号明細書）
【考案の概要】
【考案が解決しようとする課題】
【０００６】
本考案は、従来技術の欠点を解決することを目的としてなされたものであり、天然芝を効果的に固定できるだけでなく、芝生全体の底部の堅牢性を向上させる人工芝と天然芝を組み合わせた人工芝生を提供する。
【課題を解決するための手段】
【０００７】
上記目的を達成するためになされた本考案は、
人工芝と天然芝を組み合わせた人工芝生であって、土壌基層と、土壌基層の上方に敷き詰められ、経糸と緯糸で織り成される格子状の下地層と、格子状の下地層に織り込まれた人工芝糸とを含み、緯糸はＳ字状のように配列され、経糸は、緯糸のＳ字状の円弧内を上下に往復して８の字状のような固定用結びを形成し、人工芝糸は、８の字状の結びの内部を通り抜け、経糸によって引き締められることによって経糸と緯糸の間に固定される。
【０００８】
さらに、本考案に係る人工芝と天然芝を組み合わせた人工芝生において、格子状の下地層に天然芝の植栽用土壌層が敷き詰められ、天然芝の植栽用土壌層の高さは、人工芝糸の高さより低く、天然芝の植栽用土壌層内に天然芝が植え付けられ、天然芝の根部は、格子状の下地層に絡まれる。
【０００９】
本考案に係る人工芝と天然芝を組み合わせた人工芝生において、天然芝の植栽用土壌層の高さは、人工芝糸の高さの３０〜８０％である。
【００１０】
本考案に係る人工芝と天然芝を組み合わせた人工芝生において、格子状の下地層における格子の形状は田の字状、菱形、三角形、円形から選ばれる１種又は複数種である。
【考案の効果】
【００１１】
本考案に係る人工芝と天然芝を組み合わせた人工芝生は、以下の有益な効果を有する。本考案に係る人工芝生は、格子状の下地層に天然芝の植栽用土壌層が敷き詰められているため、天然芝の植栽用土壌層内に天然芝を容易に植栽することができ、天然芝が生えると、その根部は格子状の下地層に絡むことによって、天然芝を効果的に固定する役割を果たすだけでなく、芝生全体の底部の堅牢性を向上させる。本考案に係る人工芝生は、人工芝糸が格子状の下地層に織り込まれて堅牢に結合されるため、スチレンブタジエンラテックスを使用しなくても、高い引張力を得ることができ、織り成された下地層の底部に多くの穴があるため、芝生は優れた透水性を有し、水が溜まりにくい。格子状の下地層の穴を所定の範囲で設ければ、ペットグラスとして使用することができ、動物の排泄物を直接穴から排出でき、細菌が繁殖しにくく、清掃しやすい。また、人工芝糸を織り込むだけでよく、スチレンブタジエンラテックスを使用する必要がないため、芝生全体を回収して再利用することも可能である。
【図面の簡単な説明】
【００１２】
【図１】本考案に係る人工芝生の構造を概略的に示す図である。
【図２】本考案に係る格子状の下地層における経糸、緯糸及び人工芝糸による織成構造を概略的に示す図である。
【考案を実施するための形態】
【００１３】
（実施形態１）
本実施形態は、人工芝と天然芝を組み合わせた人工芝生であり、その構造は図１に示すように、土壌基層１と、土壌基層１の上方に敷き詰められる格子状の下地層２と、格子状の下地層に織り込まれる人工芝糸３とを含み、格子状の下地層は、経糸と緯糸で編成されるものであり、格子状の下地層に天然芝の植栽用土壌層４が敷き詰められ、天然芝の植栽用土壌層の高さは、人工芝糸の高さより低く、天然芝の植栽用土壌層内に天然芝が植え付けられ、天然芝の根部は、格子状の下地層に絡まれる。
【００１４】
格子状の下地層の織成構造では、具体的に、図２に示すように、緯糸５は、Ｓ字状のように配列され、経糸６は、緯糸５のＳ字状の円弧内に上下に往復して８の字状のような固定用結びを形成し、人工芝糸３は、８の字状の結びの内部を通り抜け、経糸によって引き締められることによって経糸と緯糸の間に固定される。本実施形態に係る織成構造では、緯糸が３本設けられるが、実施する際に、経糸及び緯糸は、いずれも複数設けてもよい。経糸及び緯糸の材質は、ＰＥ（ポリエチレン）、ＰＰ（ポリプロピレン）、ＰＥＴ（ポリエチレンテレフタラート）、ＰＡ（ポリアミド）、綿から選ばれる１種又は複数種である。経糸及び緯糸は、扁平繊維、ポリプロピレン繊維、押出繊維のうちの１種又は複数種である。実際に編成する際に、経編機において、経糸及び緯糸用クリールを経編機の一方の側に設置し、他側に人工芝糸を織るための糸を配置し、設備が動作を開始すると、経糸は８の字状の結びを作るように緯糸において往復する、例えば緯糸のＳ字状の円弧内を上下に往復することによって緯糸を固定し、最終的に格子状の下地層を田の字状のような格子構造にし、田の字状のような格子構造における小さい正方形１つ当たりの面積は約０．２５ｃｍ２とし、人工芝糸の高さは約５ｃｍとし、人工芝糸は、菱形と大文字のＶ字状を組み合わせた構造がメインである。芝生の形が整うと、幅が１．０ｍ、長さが１０ｍになるよう切断し、予め締め固めた地面に敷き詰め、芝刈機を用いて芝生を整えてから、芝生の底部に、高さが人工芝糸の高さの３０〜８０％の植栽用土壌層、本実施形態においては約３．５ｃｍの植栽用土壌層を敷き詰め、次に、草の種を植栽用土壌層に播種し、草が生えると、人工芝と天然芝を組み合わせた人工芝生を得る。
【００１５】
上記実施形態の他に、本考案は他の形態にて実施することもできる。均等に置き換えたり、変形させたりすることで得るものであれば、いずれも本考案の保護範囲に含まれるものとする。
【図１】
0003221275.tif 000003
【図２】
0003221275.tif 000004